(57)【要約】【課題】リング機構を有するタイプのファイルともに使用することを意図し、フラップ上に取りつけられるリング機構の欠点を除去または少なくとも軽減させることのできる、ファイルのためのアクセサリーを提供すること。【解決手段】筆記ボード、ファイルその他のためのアクセサリーであって、少なくとも、ファイルその他（３）に取りつけることのできるホルダー（４）を有し、このとき、一方で、該ホルダー（４）が、開口（９）を備えた文書（８）に通すことのできる要素を有するタイプの綴じ込み機構（５）と協働し、または協働することができ、またこのとき、他方で、前記ホルダー（４）をファイルその他（３）に手操作で取りつけることができる、ことを特徴とするアクセサリー。【選択図】図１
2004130781.tif 000002
【特許請求の範囲】
【請求項１】
　筆記ボード、ファイルその他のためのアクセサリーであって、
　少なくとも、ファイルその他（３）に取りつけることのできるホルダー（４）を有し、
　このとき、一方で、該ホルダー（４）が、開口（９）を備えた文書（８）に通すことのできる要素を有するタイプの綴じ込み機構（５）と協働し、または協働することができ、
　またこのとき、他方で、前記ホルダー（４）をファイルその他（３）に手操作で取りつけることができる、
ことを特徴とするアクセサリー。
【請求項２】
　ホルダー（４）を、手段（６）により、ファイルその他（３）に取りつけることができることを特徴とする請求項１に記載のアクセサリー。
【請求項３】
　前記綴じ込み機構（５）がほとんど変形しないリング（７）を備えたタイプの機構であり、該リングが、ベース要素（１２）に取りつけられた少なくとも二つの部分（１０、１１）から成り、これらの要素が開放位置と閉鎖位置との間で動くことができることを特徴とする請求項１または２に記載のアクセサリー。
【請求項４】
　前記ホルダーがＵ字形であり、ファイルその他（３）にクランピングにより取りつけることができることを特徴とする請求項１に記載のアクセサリー。
【請求項５】
　綴じ込み機構（５）がホルダー（４）に固定取りつけされることを特徴とする請求項１から４の中のいずれか１つに記載のアクセサリー。
【請求項６】
　綴じ込み機構（５）がホルダー（４）に取りはずせるように取りつけられることを特徴とする請求項１から５の中のいずれか１つに記載のアクセサリー。
【請求項７】
　ホルダー（４）をファイルその他（３）に取りつけることを可能にする手段（６）が、取りはずしできる結合手段から成り、該手段が取りはずしでき、場合によっては再使用できることを特徴とする請求項１から６の中のいずれか１つに記載のアクセサリー。
【請求項８】
　手段（６）がスナップイン結合部を有することを特徴とする請求項１から７のうちのいずれか１つに記載のアクセサリー。
【請求項９】
　ホルダー（４）が、支持板として作られる部分（１５）を有し、該支持板がファイルその他（３）の部分に密着配置されるように設計され、これによって前記綴じ込み機構（５）を該部分上に取りつける、または取りつけることができることを特徴とする請求項１から８の中のいずれか１つに記載のアクセサリー。
【請求項１０】
　前記手段（６）、ホルダー（４）のそれぞれが、このホルダー（４）をファイル（３）の硬質壁部分（２）のへり（１４）を覆うように取りつけることができるように、構成されることを特徴とする請求項１から９の中のいずれか１つに記載のアクセサリー。
【請求項１１】
　ホルダー（４）が大体Ｕ字形の本体を有するように作られ、したがって該ホルダー（４）を、このＵ字形設計によって、ファイル（３）の硬質壁部分（２）のへり（１４）を覆うように押しばめすることができることを特徴とする請求項１０に記載のアクセサリー。
【請求項１２】
　ホルダー（４）がロック手段を有し、該手段が、ホルダー（４）がファイル（３）に対するその位置を保つことができるようにすることを特徴とする請求項１から１１の中のいずれか１つに記載のアクセサリー。
【請求項１３】
　ロック手段が一つまたは複数の部分（２２、３１）から成り、該部分が、それぞれファイル（３）の壁部分（２）にある一つまたは複数の開口（２４、３０、３４）とかみ合うことができることを特徴とする請求項１２に記載のアクセサリー。
【請求項１４】
　前記一つまたは複数の部分（２２、３１）がそれぞれ、ホルダー（４）の弾性的に曲げることのできる一つの部分（１７）または複数の部分（１７）に備えてあり、部分（２２、３１）が、前記アクセサリーをファイル（３）に取りつけたとき、前記開口（２４、３０）内に押し込まれるようになっていることを特徴とする請求項１３に記載のアクセサリー。
【請求項１５】
　前記一つまたは複数の部分（２２、３１）がそれぞれ、綴じ込み機構（５）と協働するまたは協働できる前記Ｕ字形の脚に対向配置された前記Ｕ字形の脚を形成する一つまたは複数の弾性的に曲げることのできる部分（１７）に備えてあり、また前記一つまたは複数の部分（２２、３１）がそれぞれ、ファイル（３）の開口（２４、３０）と協働できる一つまた複数のピンから成ることを特徴とする請求項１１および１４に記載のアクセサリー。
【請求項１６】
　請求項１から１５のいずれか１つに記載のホルダー（４）と綴じ込み機構（５）とを備えていることを特徴とする筆記ボード、ファイルその他。
【請求項１７】
　請求項１から３の中のいずれか１つに記載のアクセサリー（１）を前記ファイルその他（３）に取りつけることを可能にする手段、特に開口（２４、３０、３４）その他、を有することを特徴とする筆記ボード、ファイルその他。
【請求項１８】
　前壁部分（２５）、背部分（２６）によって前壁部分（２５）に結合された後壁部分（２７）、および前記壁部分の一つに形成され、サイドピース（２９）によって付随する壁部分からある距離に保たれている、少なくとも一つの内側に折り曲げられたフラップ（２８）から成るタイプのファイルその他（３）であって、このとき、ホルダー（４）がフラップ（２８）の自由へり（１４）に取りつけられ、またこの自由へり（１４）の近くに、少なくとも、前記ホルダー（４）を該自由へりに取りつけるための手段が備えられていることを特徴とする請求項１６または１７に記載の筆記ボード、ファイルその他。
【発明の詳細な説明】
【技術分野】
【０００１】
　本発明は、筆記ボード（ｗｒｉｔｉｎｇ　ｂｏａｒｄ）、ファイルその他のためのアクセサリー、および該アクセサリーを備えた筆記ボード、ファイルその他、または、そのようなアクセサリーを備えるのに適した、すなわち特別な手段を有する筆記ボート、ファイルその他に関する。
【０００２】
　簡明なように、以下では、ファイルに関してのみ述べるが、このファイルという言葉は、本発明のアクセサリーを取りつけることのできるすべての支持体を意味すると解釈すべきである。
【背景技術】
【０００３】
　公知のように、綴じ合わせていない文書をまとめておくために、前壁部分、背部分によって前壁部分に結合された後壁部分、および前記壁部分の一つに形成され、サイドピースによって付随する壁部分からある距離に保たれている、少なくとも一つの内側に折り曲げられたフラップ（ｆｌａｐ）から成るファイルを使用することができる。このファイルが折り曲げて開けられたとき、綴じ合わせてない文書は、フラップと該フラップが取りつけられている壁部分との間のスペース内で滑って移動することができる。ファイルを折りたたむと、綴じ合わせてない文書はこのスペースから出ることが防がれる。
【０００４】
　やはり公知であるが、独立のサイドピースを有する前記のようなファイルが市販されており、このサイドピースはあとで消費者または小売業者が取りつけなければならない。このファイルは、前記壁部分、背部分、およびフラップから成る全体を平らに作ることができ、したがってその販売と配送とにおいて、梱包および輸送すべき体積を最小限に抑えることができる、という利点を与えるものである。
【０００５】
　さらにまた公知であるが、工場において、リングを有する綴じ込み機構をフラップの自由へり近くに取りつけて、一方で、文書をファイルの前記スペース内に綴じ合わせないで保管することができ、他方で、文書を綴じ込み機構によってファイルに固定することもできる。
【０００６】
　フラップに永久的に固定されるそのような綴じ込み機構の欠点は、大きなスペースを占めるということ、および選択した綴じ込み機構が必ずしも常に正しいものであるとは限らないということである。もう一つの欠点は、フラップ上に取りつけられた綴じ込み機構が障害物となり、そのようなファイルをまとめた小包は梱包と配送が難しいということである。特に、このようなファイルの場合、前述のように、前記フラップを該フラップが付随する壁部分からある距離に保つために独立の結合ピースが使用され、そのようなファイルは失われるスペースが最小限で梱包することができるという主要利点が、いわば綴じ込み機構の存在により取り除かれることになる。
【発明の開示】
【発明が解決しようとする課題】
【０００７】
　本発明の目的は、まず第一に前記タイプのファイルともに使用することを意図し、フラップ上に取りつけられるリング機構の前記欠点を除去または少なくとも軽減させることのできる、ファイルのためのアクセサリーを提供することである。しかし、より一般に、本発明は、他のタイプのファイルと組合せて使用することもでき、いくつかの利点を与えるアクセサリーの提供をも意図する。
【課題を解決するための手段】
【０００８】
　この目的のために、本発明は、
　ファイルのためのアクセサリーであって、
　少なくとも、ファイルに取りつけることのできるホルダーを有し、
　このとき、一方で、該ホルダーが、開口を備えた文書に通すことのできる要素を有するタイプの綴じ込み機構と協働し、または協働することができ、
　またこのとき、他方で、前記ホルダーが、該ホルダーをファイルに手操作で取りつけることを可能にする手段を有する、
ことを特徴とするアクセサリー、
に関する。
【０００９】
　手操作というのは、ホルダーを消費者または小売業者自身が機械類また好ましくは工具類の必要なしでファイルに取りつけることができるということを意味する。
【００１０】
　本発明によりホルダーに取りつけられる綴じ込み機構の使用により、該ホルダーを消費者その他がファイルに取りつけることができ、いくつかの利点が得られることがあきらかである。
【００１１】
　たとえば、消費者はファイルに綴じ込み機構を取りつけるかどうかをその場で決定することができる。
【００１２】
　いろいろな特性または寸法の綴じ込み機構を有するホルダーが提供されるので、使用者はどのような種類の綴じ込み機構をファイルに取りつけるかをその場で決定することができる。
【００１３】
　一方でファイルを、他方で綴じ込み機構を有するホルダーを、結合していない状態で、梱包して配送することにより、占拠される体積を最小限に抑えることができる。
【００１４】
　本発明はいろいろなタイプの綴じ込み機構によって具体化することができるが、明らかに、特に有用なのは、綴じ込み機構がリングを備えたタイプの機構であって、該リングが、ベース要素上に備えられた少なくとも二つの部分から成り、これらの部分を開放位置と閉鎖位置との間で動かすことのできる、ほとんど変形しないものである場合である。そのような普通のリング綴じ込み機構は、それ自身でかなり大きなスペースを占めるものであり、取りつけていない状態で輸送できるならば、非常に有利である。
【００１５】
　綴じ込み機構は、好ましくは、ホルダーに固定取りつけされるが、変形においては、ホルダーに取りはずせるように取りつけて、一つのホルダーだけで、一つのファイルに対して複数の随意の綴じ込み機構を使用できるようにすることも排除されない。この場合、綴じ込み機構は任意の方法でホルダーに結合することができる。固定結合の場合、たとえばリベットを使用することができる。取りはずせるシステムの場合、ねじ込み結合、スナップインシステム、その他が使用できる。
【００１６】
　ホルダーをファイルに取りつけることができるようにする手段は、そのもっとも簡単な形状の場合、Ｕ字形部分から成り、該部分が当該ファイルへりを覆うようにクランピングされるので、ホルダーはいつでも取りはずすことができ、場合によっては他のファイルで使用することができる。
【００１７】
　前記手段は、好ましくは、取りはずしできる結合手段から成り、該手段は、アクセサリーがファイルに取りつけられたあと、いつでも取りはずし、取りつけできるようにすることもできる。
【００１８】
　もっとも好ましい実施態様の場合、ホルダーのファイルへの取りつけを可能にする手段は、スナップイン結合を与える結合手段から成る。そのため、複雑な取りつけ動作の必要なしで、ホルダーを簡単にファイルにスナップインすることができる。
【００１９】
　ホルダー、特にホルダーをファイルに取りつける前記手段は、好ましくは、ホルダーをファイルに対して正しい位置に保つことを可能にするロック手段を有し、好ましくは該ロック手段はファイルの開口とかみ合うことのできる部分たとえばピンから成る。
【００２０】
　ホルダーは該ホルダーが取りつけられる要素と同じまたは異なる長さとすることができる。
【００２１】
　当然のことながら、本発明は前記ホルダーまたは綴じ込み機構を備えたファイルにも関する。
【００２２】
　本発明は、また、ファイルであって、該ファイルに前記アクセサリーを取りつけることができるようにする手段、特に開口その他、を有することを特徴とするファイルにも関する。
【発明を実施するための最良の形態】
【００２３】
　以下、本発明の特徴をさらに十分に説明するために、添付の図面を参照しつつ、好ましい実施形態について説明する。これらの実施形態は単なる例であり、いかなる意味でも本発明を限定するものではない。
【００２４】
　図１〜５には、本発明によるアクセサリー１を、ファイル３の壁部分２とともに示す。ファイル３は全体は示さない。壁部分２は割合に硬質の材料たとえば厚紙（ｃａｒｄｂｏａｒｄ）から成る。
【００２５】
　アクセサリー１の主体はホルダー４であり、該ホルダーには、綴じ込み機構５が備えられ、またホルダー４をファイル３に手操作で取りつけることを可能にする手段６が備えてある。
【００２６】
　綴じ込み機構５は、開口９を有する文書８を貫通できる要素、特にリング７、を有するタイプのものである。リング７は通常のやり方で作られる。これらのリングは、ほとんど変形せず、それぞれ、ベース要素１２に取りつけられた少なくとも二つの部分１０、１１から成り、該部分は開放位置と閉鎖位置との間で動くことができる。このベース要素１２は、好ましくは、それ自体は公知のスナップインシステムを有し、該システムは、部分１０、１１が、該部分に力を加えて、該部分をそれぞれ開放位置、閉鎖位置に配置するようにするとき、死点（ｄｅａｄ　ｃｅｎｔｅｒ）のまわりに前後に（ｔｏ　ａｎｄ　ｆｒｏ）動くことを可能にする。明らかに、変形実施形態においては、ベース要素１２は他のシステム、たとえばレバー動作システム、を有することもできる。
【００２７】
　図１〜５の実施形態においては、綴じ込み機構５は、リベット１３により、ホルダー４に固定取りつけされる。ここでは示さない変形においては、綴じ込み機構５は着脱自在にホルダー４に取りつけることもできる。
【００２８】
　ホルダー４、特に前記手段６、は、ホルダー４が壁部分２のへり１４を覆うように取りつけることができるように構成される。そのために、ホルダー４は大体Ｕ字形に作られ、へり１４上に押しばめできるようにされる。
【００２９】
　この場合、Ｕ字形ホルダー４は、第一の平面１６に配置されている部分１５および第二の平面１８に配置されている部分１７ならびに部分１５と１７を結合する背部分１９を有する。部分１５と１７はＵ字形の脚を形成し、その側面に、互いに向き合う接触面２０、２１を定める。これらの接触面は、相互距離Ｄ１で互いに平行に配置されており、Ｄ１はアクセサリー１の使用対象である壁部分２の厚さＤ２に等しいかまたは実質的に等しい。
【００３０】
　部分１５は、壁部分２に密着するように設計された支持板として作られており、安定な支持が与えられ、綴じ込み機構５が壁部分２に対して傾斜しないようになっている。
【００３１】
　部分１７は弾性的に曲げることのできる部分を形成し、また部分１７は、この場合面取りした遠端２３を有する二つの丸ピン２２の部分を備えており、この部分は、この場合丸穴の形の壁部分２の開口２４と協働することができる。したがって、これらのピン２２はロック手段を形成し、該手段は、以下で説明するように、ホルダー４を、ファイル３に対して正しい位置に保持することを可能にする。
【００３２】
　アクセサリー１の動作と使用法とは、図１〜５から容易に理解することができる。
【００３３】
　アクセサリー１を壁部分２に取りつけるためには、部分１７を、弾性的に曲げて開き、そのあと、図５に示すように、当該壁部分２に沿ってへり１４を覆うように押しばめして、部分１７が弾性的にばねのように戻ってピン２２が開口２４とかみ合うようにすれば、その結果として図３と４に示すように、ロックされた状態が得られる。
【００３４】
　開口２４がへり１４から離れている距離は、好ましくは、ホルダー４がその背部分１９がへり１４に密着して止められるように、選択する。このようにすることは、取りつけの安定性に寄与する。
【００３５】
　ホルダー４をファイル３に取りつけたならば、ファイル３はリングファイルとして使用することができる。
【００３６】
　図６は本発明の一つの適用例を示す。この場合、本発明によるアクセサリー１が、前壁部分２５、背部分２６によって前壁部分２５に結合された後壁部分２７、また前記壁部分の一つ、この場合後壁部分２７、に形成されている少なくとも一つの内側に折り曲げられたフラップ２８から成るタイプのファイル３に取りつけてある。フラップ２８は、好ましくは独立に取りつけることのできるサイドピース２９によって、付随する壁部分２７からある距離に保持されている。ここで、ホルダー４はフラップ２８の自由へり１４に取りつけられ、このとき、上で図１〜５に関して説明したのと同様のやり方で、フラップ２８にも当然開口２４が備えられる。冒頭で述べたように、本発明のアクセサリーはこのタイプのファイルに対して特に有用である。
【００３７】
　明らかに、本発明は二つのリング７を有する綴じ込み機構５に限定されるものではない。図７には、たとえば四つのリング７を有する変形を示す。
【００３８】
　また、丸い開口２４および丸い部分またはピン２２の代わりに、他の形の穴および協働部分を使用することもできる。図８の実施形態の場合、縦長の開口３０と該開口にはめ合わせることのできる縦長の部分３１とが使用してある。
【００３９】
　図８の実施形態の場合、部分３１のそれぞれは、別々の弾性的に曲げることのできる部分１７に備えてある。
【００４０】
　明らかに、ホルダー４は必ずしもＵ字形である必要はなく、また手段６、および特にホルダー４をファイル３に対するその位置に保持するのに使用するロック手段は、多くの変形によって実施することができる。
【００４１】
　一例として、一つの変形を、図９と１０に示す。この場合、ホルダー４は二つの別々の部分３２、３３から成り、これらの部分は、それぞれファイル３の壁部分２の異なる側に配置することができ、また該壁部分に備えられた開口３４を通して結合部分３５、３６により互いにスナップばめすることができる。
【００４２】
　図９と１０に示す変形の場合、リング７が取りつけられるベース要素１２は同時にホルダーの部分３２としても働く。しかし、明らかに、図９と１０に示す変形実施形態の場合、ベース要素１２は、まず、部分３２の機能を果たす別の支持体に取りつけることもできる。
【００４３】
　本発明は、例として説明し、添付の図面に示した前記実施形態に決して限定されるものではなく、逆に、本発明のアクセサリーと該アクセサリーを取りつけることのできるファイルとは、本発明の範囲内にとどまる限り、いろいろな形状と寸法とで実施することができる。
【図面の簡単な説明】
【００４４】
【図１】本発明によるアクセサリーを、該アクセサリーが協働できるファイルの壁部分とともに示す斜視図である。
【図２】図１にＦ２で示す部分の拡大図であり、アクセサリーから二つの部分を切り欠いて示してある。
【図３】図１と同様の図であるが、アクセサリーを取りつけた状態を示す。
【図４】図３の線ＩＶ−ＩＶに沿う断面図である。
【図５】図４と同様の断面図であるが、アクセサリーを取りつけつつある状態である。
【図６】図１〜５のアクセサリーを取りつけたファイルを示す図である。
【図７】ある変形実施形態を示す。
【図８】別の変形実施形態を示す。
【図９】本発明のもう一つの変形実施形態の断面図であり、アクセサリーを取りつけてない状態を示す。
【図１０】本発明のもう一つの変形実施形態の断面図であり、アクセサリーを取りつけてある状態を示す。
【符号の説明】
【００４５】
　１　アクセサリー
　２　３の壁部分
　３　ファイル
　４　ホルダー
　５　綴じ込み機構
　６　４を３に手操作で取りつけることを可能にする手段
　７　リング
　８　文書
　９　開口
１０、１１　７の部分
　１２　ベース要素
　１３　リベット
　１４　２のへり
　１５　４の部分
　１６　第一の平面
　１７　４の部分
　１８　第二の平面
　１９　背部分
　２０、２１　互いに向き合う接触面
　２２　丸ピン
　２３　２２の面取りした遠端
　２４　開口
　２５　前壁部分
　２６　背部分
　２７　後壁部分
　２８　フラップ
　２９　サイドピース
　３０　縦長の開口
　３１　３０にはめ合わされる縦長の部分
　３２、３３　４の部分
　３４　開口
　３５、３６　結合部分
　Ｄ１　２０と２１との距離
　Ｄ２　２の厚さ
【図１】
2004130781.tif 000003
【図２】
2004130781.tif 000004
【図３】
2004130781.tif 000005
【図４】
2004130781.tif 000006
【図５】
2004130781.tif 000007
【図６】
2004130781.tif 000008
【図７】
2004130781.tif 000009
【図８】
2004130781.tif 000010
【図９】
2004130781.tif 000011
【図１０】
2004130781.tif 000012
【外国語明細書】
2004130781.tif 000013
2004130781.tif 000014
2004130781.tif 000015
2004130781.tif 000016
2004130781.tif 000017
2004130781.tif 000018
2004130781.tif 000019
2004130781.tif 000020
2004130781.tif 000021
2004130781.tif 000022
2004130781.tif 000023
2004130781.tif 000024
2004130781.tif 000025
2004130781.tif 000026
2004130781.tif 000027
2004130781.tif 000028
2004130781.tif 000029
2004130781.tif 000030
2004130781.tif 000031
2004130781.tif 000032
2004130781.tif 000033